(57)【要約】【課題】凝縮器の吸気面に対するフィルタの取り付け作業性を向上させる。【解決手段】凝縮器１の底板２のフィルタ支持片３にフィルタ５の外枠６の下縁を嵌め、凝縮器１の天板４に取り付けたフィルタ係止具１０でフィルタ５の外枠６の上縁を係止する。フィルタ係止具１０は、凝縮器１の天板４に取り付ける取付部材１１に、ガイド片２５を有する係止片１２がヒンジ１３を介して揺動可能に連結されるものである。係止片１２を切り起こして形成される板ばね２３は、一端が係止片１２の係止板部２１に、他端が取付部材１１のヒンジ１３からずれた位置に、弾性により両端が接近するように回動可能に連結される。板ばね２３の弾性により係止片１２がフィルタ５の外枠６を係止した状態に付勢する。【選択図】図２
2008025866.tif 000002
【特許請求の範囲】
【請求項１】
長方体状凝縮器（１）の吸気面の下縁に設けた断面Ｌ字状のフィルタ支持片（３）の内側にフィルタ（５）の外枠（６）の下縁を嵌め、前記凝縮器（１）の吸気面の上縁に設けたフィルタ係止具（１０）でフィルタ（５）の外枠（６）の上縁を係止するようにした凝縮器のフィルタ取り付け・支持構造において、
上記フィルタ係止具（１０）は、上記凝縮器（１）の吸気面上縁に取り付けた取付部材（１１）に、前方に延び出し下方に向いた断面Ｌ字状の係止片（１２）が、ヒンジ（１３）を介して揺動可能に連結されているとともに、その下方に向くように付勢されており、
上記係止片（１２）が下方に付勢された状態で、前記係止片（１２）の内側に前記フィルタ（５）の外枠（６）の上縁が嵌って係止され、前記係止片（１２）が上方に揺動した状態で、前記フィルタ（５）の外枠（６）が外れることを特徴とする凝縮器のフィルタ取り付け・支持構造。
【請求項２】
上記係止片（１２）と取付部材（１１）との間にばね（２３）が設けられて、そのばね（２３）により、前記係止片（１２）が上記下方に向くように付勢されているとともに、前記係止片（１２）が、上記ヒンジ（１３）を介して上記上方に揺動してフィルタ（５）の外枠（６）が外れた状態と、前記下方に付勢されて前記フィルタ（５）の外枠（６）の上縁が嵌って係止された状態との間の揺動範囲の途中において思案点を有していることを特徴とする請求項１に記載の凝縮器のフィルタ取り付け・支持構造。
【請求項３】
上記ばね（２３）は、上記取付部材（１１）の上記ヒンジ（１３）より後方から起伏可能に立ち上がった後、上記係止片（１２）に向かって屈曲してその係止片（１２）に起伏可能に連結されたものであることを特徴とする請求項２に記載の凝縮器のフィルタ取り付け・支持構造。
【請求項４】
上記フィルタ係止具（１０）は、その取付部材（１１）に、ヒンジ（１３）を介して前記係止片（１２）および上記ばね（２３）を樹脂により一体成形したものであり、前記ヒンジ（１３）は切り溝により形成されているとともに、前記ばね（２３）の前記取付部材（１１）および係止片（１２）との連結部は、切り溝によってヒンジ（１６）、（２４）に形成されて上記起伏可能に連結されていることを特徴とする請求項３に記載の凝縮器のフィルタ取り付け・支持構造。
【請求項５】
上記係止片（１２）は、その内側に下方に向くガイド片（２５）を有し、このガイド片（２５）と前記係止片（１２）の下方に向く片（２１）との間に上記フィルタ（５）の外枠（６）を受け入れて係止することを特徴とする請求項１から４のいずれかに記載の凝縮器のフィルタ取り付け・支持構造。
【請求項６】
上記取付部材（１１）は、前記凝縮器（１）の天板（４）の前縁を覆うカバー板（１５）を有するものであることを特徴とする請求項１から５のいずれかに記載の凝縮器のフィルタ取り付け・支持構造。
【請求項７】
上記取付部材（１１）は、前記凝縮器（１）の天板（４）の前縁を挟むクリップ（１７）を有し、このクリップ（１７）の内面に突起（１９）を設け、上記凝縮器（１）の天板（４）に前記突起（１９）が嵌る孔を形成したことを特徴とする請求項１から６のいずれかに記載の凝縮器のフィルタ取り付け・支持構造。
【発明の詳細な説明】
【技術分野】
【０００１】
この発明は、凝縮器の吸気面に装着されるフィルタの取り付け・支持構造に関するものである。
【背景技術】
【０００２】
従来、業務用冷蔵庫の機械室は、ユニット化されて冷蔵庫本体に併設され、そのユニットベースがフレームに対して出し入れ可能に収容されたものが知られている。このユニットベース上に、凝縮器、フィルタ、凝縮器ファン、冷媒用コンプレッサーなどが設置され、ユニット前面は、外気を取り入れるルーバ状の外気口および制御部を備える前面カバーで覆われている（特許文献１）。
【特許文献１】特開２００３−８３６６６号公報（図１参照）
【０００３】
上記ユニットベース上の凝縮器３０は、図７（ａ）に示すように、通常、上下左右の４面を鉄板等の板で構成した長方体状をしており、その前面を吸気口（面）としている。その凝縮器３０の上下の面を成す天板３１及び底板３２にそれぞれ断面Ｌ字状のフィルタ係止片３５、フィルタ支持片３６が設けられており、この両片３５、３６の間にフィルタ３３が取り付け支持される。凝縮器３０の左右面をなす側板にはフィルタ３３の位置ずれを防止するガード板３７が一体に設けられている。
【０００４】
上記フィルタ３３は、その外枠３４の下縁が底板３２のフィルタ支持片３６の内側に嵌められるとともに、その上縁が天板３１のフィルタ係止片３５に係止されて、凝縮器３０の吸気面に装着される（図８参照）。
【０００５】
上記フィルタ３３の装着後、凝縮器３０の後面側に設置された凝縮器ファンが駆動すると、外気が吸引されて凝縮器３０に当てられ、これを冷却するとともに、外気中に混じったオイルや塵埃が、フィルタ３３で捕捉されて除去される。
【発明の開示】
【発明が解決しようとする課題】
【０００６】
上記フィルタ３３を凝縮器３０の吸気面に取り付ける際、図７（ｂ）に示すように、フィルタ３３の外枠３４をフィルタ支持片３６の内側に嵌め、その後、外枠３４の上縁のつまみ３８を下方に引いてまたは手で押さえて外枠３４の上縁をフィルタ係止片３５の下端部よりも下方にたわませる。そのたわませた外枠３４の上縁を凝縮器３０とそのフィルタ係止片３５との間に差し込んで係止していた。
【０００７】
一方、凝縮器３０の吸気面からフィルタ３３を取り外す際、上述のフィルタ取り付けの場合と同様に、そのつまみ３８を下方に引いてまたは手で押さえてフィルタ３３の外枠３４の上縁をたわませて、凝縮器３０のフィルタ係止片３５から外していた。
【０００８】
このように、凝縮器３０のフィルタ３３の取り付け、取り外しのいずれの作業においても、つまみ３８を引くまたは手で押さえて外枠３４の上縁をフィルタ係止片３５の下端部よりも下方にたわませる必要があるので、これらの作業性が悪く、また、フィルタ３３の外枠３４の破損のおそれがあるという問題があった。
【０００９】
また、凝縮器３０の天板３１が切りっぱなし状態である場合、その天板３１の前縁にはバリが残っている。このため、フィルタ３３を手で押さえながらフィルタの取り付け、取り外し作業を行うと、作業中に天板３１の前縁に手が当たり、天板３１のバリで手を傷つけるおそれがあった。手を傷つけないためには、凝縮器３０の天板３１の前縁のバリ取り作業を別途行う必要があり、このバリ取り作業に手間がかかっていた。
【００１０】
そこで、この発明は、凝縮器の吸気面へのフィルタの取り付け作業性を向上させることを課題とする。
【課題を解決するための手段】
【００１１】
上記の課題を解決するために、この発明は、凝縮器の吸気面の上縁に取り付ける取付部材に、ヒンジを介してフィルタ係止片を揺動可能に連結し、このフィルタ係止片をフィルタの外枠の上縁に係止する状態に付勢するようにしたのである。
【００１２】
このようにすれば、凝縮器の吸気面下縁のフィルタ支持片にフィルタの外枠を嵌め、フィルタ係止片を持ち上げて、フィルタの外枠を吸気面に当てがい、フィルタ係止片を押し下げると、フィルタ係止片は、フィルタの外枠の上縁を係止するとともにこの係止状態が、フィルタ係止片への付勢力によって維持される。これにより、フィルタの外枠をたわませることなく、凝縮器の吸気面に装着することができる。
【００１３】
この発明の構成としては、長方体状凝縮器の吸気面の下縁に設けた断面Ｌ字状のフィルタ支持片の内側にフィルタの外枠の下縁を嵌め、前記凝縮器の吸気面の上縁に設けたフィルタ係止具でフィルタの外枠の上縁を係止するようにした凝縮器のフィルタ取り付け・支持構造において、前記フィルタ係止具は、前記凝縮器の吸気面上縁に取り付けた取付部材に、前方に延び出し下方に向いた断面Ｌ字状の係止片が、ヒンジを介して揺動可能に連結されているとともに、その下方に向くように付勢されており、前記係止片が下方に付勢された状態で、前記係止片の内側に前記フィルタの外枠の上縁が嵌って係止され、前記係止片が上方に揺動した状態で、前記フィルタの外枠が外れる構成を採用したのである。
【００１４】
この構成において、上記係止片が下方に向くように付勢する手段としては、一般的なばねを採用することができ、そのばねは係止片と取付部材との間に設けられて、前記係止片が、上記ヒンジを介して上記上方に揺動してフィルタの外枠が外れた状態と、下方に付勢されて前記フィルタの外枠の上縁が嵌って係止された状態との間の揺動範囲の途中において思案点を有している構成を採用することができる。
【００１５】
このようにすれば、上記係止片が思案点よりも下方に揺動されると、この係止片は、ばねにより、フィルタの外枠の上縁を係止する状態に付勢されてその状態が維持される。このため、フィルタは、その外枠の上下縁がフィルタ係止片およびフィルタ支持片により支持されて凝縮器の吸気面に装着され、その装着状態が維持される。
【００１６】
一方、前記係止片が思案点よりも上方に揺動されると、この係止片は、ばねにより、フィルタの外枠の係止が外れる状態に付勢されてその状態が維持される。このため、係止片の先端がフィルタの外枠の上縁よりも上方に位置する状態に維持されれば、フィルタをその外枠をたわませずに外すことができる。また、その状態において、同様に、フィルタをその外枠をたわませずに凝縮器の吸気面に当てがうことができる。フィルタが凝縮器の吸気面に当てがわれれば、係止片を伏せてフィルタの上端に係止させると、フィルタの外枠の上縁を係止した状態に維持される。
【００１７】
上記ばねは、上記作用を行い得るものであれば、コイルばね、トーションばね、板ばね等を適宜に採用すれば良いが、例えば、上記取付部材の上記ヒンジより後方から起伏可能に立ち上がった後、上記係止片に向かって屈曲してその係止片に起伏可能に連結されたものである構成を採用すれば、この屈曲したばねは、その開き角度を広げると弾性により開き角度を狭めるように作用するので、その弾性により係止片を上方または下方に付勢させることができる。
【００１８】
この構成において、上記フィルタ係止具は、その取付部材に、ヒンジを介して前記係止片および上記ばねを樹脂により一体成形したものとすれば、製作コストを低減できる。このとき、前記ヒンジは切り溝により形成されているとともに、ばねの取付部材及び係止片との連結部は、切り溝によってヒンジに形成されて上記起伏可能に連結されているようにする。樹脂成型品への切り溝であれば、ヒンジとすることは容易である。
【００１９】
上記係止片は、その内側に下方に向くガイド片を有し、このガイド片と前記係止片の下方に向く片との間に上記フィルタの外枠を受け入れて係止する構成を採用することができる。
この構成によると、フィルタを凝縮器の吸気面に取り付ける際、フィルタの外枠の上縁をガイド片に押し当てれば、係止片が下方に付勢されて揺動するとともに、係止片とガイド片との間にフィルタの外枠の上縁が受け入れられて係止させることができる。
これにより、フィルタの外枠を凝縮器の吸気面に当てがう作業と、係止片を下方に揺動してフィルタの外枠の上縁に係止させる作業とを、フィルタの外枠をガイド片に押し当てる１作業で行うことができるので、フィルタの取り付け作業を容易に行なうことができる。
【００２０】
上記取付部材は、前記凝縮器の天板の前縁を覆うカバー板を有する構成にすると、仮に、凝縮器の天板の前縁にバリがあっても、フィルタの取り付けの際、誤ってそのバリに触れて手を傷つけることを防止できる。このため、そのバリ取り作業を行う必要はなくなる。また、取付部材は、前記凝縮器の天板の前縁を挟むクリップを有し、このクリップの内面に突起を設け、上記凝縮器の天板に前記突起が嵌る孔を形成した構成にすれば、取付部材を天板に差し込んで、クリップで天板を挟むと、天板の孔に突起が嵌り、取付部材が左右に動くのを防止できるので、フィルタ係止具を天板の前縁に確実に固定することができる。
【発明の効果】
【００２１】
この発明は、以上のように、フィルタの外枠をたわませることなく、フィルタ係止具にフィルタの外枠の上縁を係止し、その係止状態がフィルタ係止片への付勢力によって維持されるので、凝縮器の吸気面へのフィルタの取り付け作業性が向上する。
また、フィルタ係止具の係止片を上方に揺動すると、この係止片は、ばねにより、フィルタの外枠の係止が外れる状態に付勢されてその状態が維持され、フィルタをその外枠をたわませずに外すことができるので、凝縮器の吸気面からのフィルタの取り外し作業性も向上する。
【発明を実施するための最良の形態】
【００２２】
以下、この発明の実施形態を図１〜図６に示す。この実施形態の凝縮器のフィルタ取り付け・支持構造は、図１に示すように、長方体状の凝縮器１の底板２の前縁（吸気面側の縁）に設けた断面Ｌ字状のフィルタ支持片３と、その凝縮器１の天板４の前縁に固定されたフィルタ係止具１０とから構成される。前記フィルタ支持片３の内側にフィルタ５の外枠６の下縁を嵌め、フィルタ係止具１０でフィルタ５の外枠６の上縁を係止したものである。
【００２３】
上記凝縮器１は、図１に示すように、上下左右の４面を鉄板等の板で構成される長方体状をしており、その前面が吸気面となっている。この凝縮器１の上面をなす天板４の前縁に上記フィルタ係止具１０が固定されている。また、凝縮器１の下面をなす底板２の前縁に前方に延び出し上方に向かう断面Ｌ字状のフィルタ支持片３が設けられている。凝縮器１の左右面をなす側板にはフィルタ５の位置ずれを防止するガード板が一体に設けられている。
【００２４】
上記フィルタ係止具１０は、凝縮器１の天板４の前縁に取り付けられる取付部材１１と、フィルタ５の外枠６の上縁を係止する断面Ｌ字状の係止片１２とが後述する板ばね２３の両側に一対のヒンジ１３を介して連結され、このフィルタ係止具１０は、その取付部材１１に、ヒンジ１３を介して係止片１２および上記板ばね２３を樹脂により一体成形したものである。
【００２５】
上記取付部材１１は、図２〜図４に示すように、前記係止片１２が一対のヒンジ１３を介して連結された取付板部１４に、両側に延びるカバー板１５、１５が一体に形成されたものである。この取付板部１４は、後述する屈曲した板ばね部２３の端部が、ヒンジ１３から後方にずれた位置に取付部材側ヒンジ１６を支点にして回動可能に連結されている。
【００２６】
上記取付部材１１の各カバー板１５は、上記係止片１２側の端部が折り返されて形成されたものであり、その折り返し部分から延び天板４を上記取付板部１４とで挟む複数のクリップ１７が一体に形成されている。また、各カバー板１５の両端にも天板４をクリップ１７とで挟むクリップ部１８が一体に形成されている。
【００２７】
このようにすれば、フィルタ係止具１０は、凝縮器１の天板４に取り付ける際、取付部材１１のカバー板１５を凝縮器１の天板４に差し込めば、取付板部１４およびカバー板１５のクリップ部１８と、各クリップ１７との間で天板４を挟んで固定する。このように、フィルタ係止具１０は、その取付部材１１のカバー板１５を凝縮器１の天板４に差し込むことで、凝縮器１の天板４の前縁に容易に固定することができる。
【００２８】
さらに、各カバー板１５は、これが凝縮器１の天板４に差し込まれると、その折り返し部分で天板４の吸気面側の縁を覆うため、フィルタの取り付けの際、仮に、天板４の前縁にバリがあっても、そのバリに誤って触れて手を傷つけることを防止できる。この各カバー板１５の長さは、フィルタの取り付け、取り外し作業の際、天板４の前縁の、手が当たる部分を覆うものであればよく、その点を考慮してその長さを適宜に設定すれば良いが、天板４の前縁の全長を覆うものとすることもできる。
【００２９】
なお、取付部材１１のカバー板１５の各クリップ１７の上面に突起１９を形成すれば、クリップ１７の押し付け力が集中して、クリップ１７の天板４に対する挟み力が向上する。また、天板４に凹部または孔を形成して、この凹部または孔に突起１９を嵌め合わせるようしてもよい。これにより、取付部材１１を天板４に差し込むと、天板４の凹部または孔に突起１９が嵌る。この突起１９が嵌れば、取付部材１１が左右に動くのを防止できるので、フィルタ係止具１０を天板４の前縁に確実に固定することができる。また、天板４に孔を形成した場合において、孔を通して突起１９の位置を見ながら、突起１９を天板４の孔に嵌めることができる。一方、この孔に指などを差し込んで突起１９を下方に押せば、孔から突起１９が外れるので、取付部材１１を容易に天板４から外すことができる。
【００３０】
上記係止片１２は、連結板部２０と、係止板部２１とが断面Ｌ字状に一体に形成されたものである。この連結板部２０が後述する板ばね２３の両側の一対のヒンジ１３を介して上記取付部材１１と連結され、この連結板部２０のヒンジ１３との反対側の端部から下方に向いた係止板部２１の先端に前向きに折れ曲がったつまみ２２が一体に設けられている。
【００３１】
上記連結板部２０は、その内側に係止板部２１と向かい合い、下方に向く一対のガイド片２５を有する。このガイド片２５は、板ばね２３の両側にそれぞれ連結板部２０と一体に形成される。係止片１２には、連結板部２０を底壁とし、係止板部２１および一対のガイド片２５を側壁とする係止溝２６が形成される。この係止溝２６は、係止片１２が下方に付勢された際、フィルタ５の外枠６を受け入れて係止する。なお、このガイド片２５は、その下端が、係止片１２が上方に付勢されフィルタ５の外枠６が外れた状態で、その状態でのフィルタ５の外枠６の上縁よりも下方に位置する長さを有するものであればよい。
【００３２】
上記フィルタ係止具１０は、取付部材１１にヒンジ１３を介して係止片１２が樹脂により一体成形されたものである。このフィルタ係止具１０には、取付部材１１の取付板部１４のヒンジ１３よりも後方から起伏可能に立ち上がり、係止片１２の係止板部２１にわたって切り起こした板ばね２３が形成される。この板ばね２３は、樹脂の弾性により、ばね力を有し、取付部材１１および係止片１２と樹脂により一体成形され、断面逆Ｌ字状に形成された係止片１２を切り起こして形成したものであるので、屈曲し断面Ｌ字状をなすものである。
【００３３】
この板ばね２３は、一端が取付部材側ヒンジ１６を介して取付部材１１の取付板部１４に、他端が係止片側ヒンジ２４を介して係止片１２の係止板部２１に連結されている。この板ばね２３は、取付部材１１および係止片１２と樹脂により一体成形されているので、その両端の連結部にＶ字状に成形されその底が薄肉となる切り溝によって取付部材側ヒンジ１６および係止片側ヒンジ２４を容易に成形でき、これらのヒンジを介して板ばね２３が回動可能に連結することができる。
【００３４】
上記取付部材１１の取付板部１４と、係止片１２の係止板部２１とは、一対のヒンジ１３を介してだけでなく、板ばね２３によっても連結され、この板ばね２３は、その開き角度を広げると弾性により開き角度を狭めるように作用する。すなわち、弾性によりその両端を接近させるように作用するものである。
【００３５】
この板ばね２３は、図５に示すように、その取付部材側ヒンジ１６を支点として回動可能に連結され、円弧Ａは、板ばね２３が変形しないものと仮定した場合の係止片側ヒンジ２４の仮想軌跡である。この場合には、円弧Ａは、取付部材側ヒンジ１６を中心とする円軌道となる。しかし、係止片１２は、ヒンジ１３を支点として回動するので、その係止片側ヒンジ２４の実際の軌跡は、ヒンジ１３を回転の中心にした円弧Ｂとなる。
【００３６】
したがって、係止片１２の回動に伴って板ばね２３が弾性変形し、開き角度を変化させる、すなわち、係止片１２の回動に伴って、板ばね２３の両端である係止片側ヒンジ２４と、取付部材側ヒンジ１６との距離が変化することとなる。
【００３７】
ここで、図５において、上述した円弧Ａと円弧Ｂが交わる点Ｄおよび点Ｅでは、板ばね２３の変化量がゼロとなるので、係止片１２が点Ｄの位置に回動すれば、板ばね２３の弾性が作用せず、この点Ｄ（以下、フィルタ係止解除点という）の位置で安定する（図２（ｂ）参照）。一方、係止片１２が点Ｅの位置に回動すれば、点Ｄの場合と同様に、板ばね２３の弾性が作用せず、この点Ｅ（以下、フィルタ係止点という）の位置で安定する（図２（ａ）参照）。
【００３８】
また、この係止片１２が回動するフィルタ係止点とフィルタ係止解除点との間において、この係止片１２のヒンジ１３と、係止片側ヒンジ２４と、取付部材側ヒンジ１６とが同一平面上（図５において直線Ｃ上）に位置したときが、板ばね２３の変化量が最大となり、この位置が思案点となる。これにより、前記係止片１２が、思案点からフィルタ係止点側に回動すれば、板ばね２３の作用によりフィルタ係止点へ付勢される。このとき、係止片１２は、下方に揺動してフィルタ５の外枠６が係止した状態となる。一方、係止片１２が、思案点からフィルタ係止解除点側に回動すれば、板ばね２３の作用によりフィルタ係止解除点へ付勢される。この状態では、係止片１２は、上方に付勢された状態となる。
【００３９】
上記係止片１２が、板ばね２３の作用により上方へ付勢されれば、係止片１２の先端がフィルタ５の外枠６の上縁よりも上方に位置する（図６（ｂ）参照）。これにより、フィルタ５を凝縮器１の吸気面に取り付ける際、フィルタ５の外枠６の上縁が係止片に当たらないので、フィルタ５の外枠６をたわませずに凝縮器１の吸気面に当てがうことができる。その後、図６（ａ）に示すように、係止片１２を伏せてフィルタ５の外枠６に係止させると、フィルタ５の外枠６を係止した状態に維持することができる。
【００４０】
この実施形態のフィルタ取り付け・支持構造は、以上のように構成され、次にそのフィルタの取り付け、取り外し方法について説明する。
まず、上記凝縮器１の天板４の前縁にフィルタ係止具１０の取付部材１１を取付板部１４を上面にして差し込む。このとき、取付部材１１のカバー板１５とクリップ１７とにより天板４を挟んで固定するので、フィルタ係止具１０は、凝縮器１の天板４の縁に容易に取り付けることができる。
【００４１】
次に、上記係止片１２をそのつまみ２２に手を掛けて引き上げる。この係止片１２は、板ばね２３の弾性により引き上げられた状態に付勢され、その係止板部２１が、凝縮器１の天板４よりも上方に位置した状態となる（図６（ｂ）参照）。
【００４２】
この状態で、フィルタ５の外枠６の下縁を凝縮器１の底板２のフィルタ支持片３に嵌め、フィルタ支持片３に嵌めたフィルタ５の外枠６を係止片１２のガイド片２５に押し当てる。フィルタ５の外枠６をガイド片２５に押し当てれば、係止片１２が下方に回動するとともに、係止片１２の係止溝２６にフィルタ５の外枠６の上縁が受け入れられて係止される（図６（ａ）参照）。これにより、フィルタ５の外枠６をガイド片２５に押し当てれば、フィルタ５の外枠６を凝縮器１の吸気面に取り付けることができるので、容易にフィルタ５の取り付け作業を行なうことができる。
【００４３】
一方、フィルタ５を取り外すには、フィルタ５の外枠６の左右縁を手で持ち、フィルタ５の外枠６の上縁を手前に引き出す。このようにすれば、フィルタ５の外枠６が係止片１２の係止板部２１の内側に当たって係止片１２が回動して持ち上がり、上方に付勢される。付勢された係止片１２は、そのガイド片２５でフィルタ５を手前に押し出すため、係止片１２からフィルタ５の外枠６が外れる。その後、フィルタ５の外枠６を持ち上げて凝縮器１の底板２のフィルタ支持片３から外す（図６（ｂ）参照）。このようにフィルタ５の外枠６の上縁をたわませる必要がないので、容易にフィルタ５の取り外し作業を行なうことができる。
【図面の簡単な説明】
【００４４】
【図１】この発明の実施形態のフィルタ取り付け・支持構造を示す斜視図
【図２】（ａ）同上のフィルタ係止具の係止片の伏せた状態を示す斜視図、（ｂ）同上のフィルタ係止具の係止片の起立した状態を示す斜視図
【図３】同上のフィルタ係止具の平面図
【図４】（ａ）図３のＡ−Ａ線の断面図、（ｂ）図３のＢ−Ｂ線の断面図、（ｃ）図３のＣ−Ｃ線の断面図
【図５】同上のフィルタ係止具の係止片の作用図
【図６】（ａ）同上のフィルタの取り付け状態を示す要部拡大断面図、（ｂ）同上のフィルタの取り外し状態を示す要部拡大断面図
【図７】（ａ）従来のフィルタ取り付け・支持構造を示す斜視図、（ｂ）同上のフィルタを取り外す状態を示す斜視図
【図８】同上のフィルタ取り付け・支持構造を示す断面図
【符号の説明】
【００４５】
１  凝縮器
２  底板
３  フィルタ支持片
４  天板
５  フィルタ
６  外枠
１０  フィルタ係止具
１１  取付部材
１２  係止片
１３  ヒンジ
１４  取付板部
１５  カバー板
１６  取付部材側ヒンジ
１７  クリップ
１８  クリップ部
１９  突起
２０  連結板部
２１  係止板部
２２  つまみ
２３  板ばね
２４  係止片側ヒンジ
２５  ガイド片
２６  係止溝
３０  凝縮器
３１  天板
３２  底板
３３  フィルタ
３４  外枠
３５  フィルタ係止片
３６  フィルタ支持片
３７  ガード板
３８  つまみ
【図１】
2008025866.tif 000003
【図２】
2008025866.tif 000004
【図３】
2008025866.tif 000005
【図４】
2008025866.tif 000006
【図５】
2008025866.tif 000007
【図６】
2008025866.tif 000008
【図７】
2008025866.tif 000009
【図８】
2008025866.tif 000010